(57)【特許請求の範囲】
【請求項１】
一面が開口された箱型のベース筐体と該ベース筐体の開口面を覆うカバー筐体とから形成された筐体内に、円盤型の記録媒体と、該記録媒体を回転駆動する駆動手段と、前記記録媒体の所望位置に記録・再生ヘッドを移動操作するアクチュエータとを収納してなる回転円盤型記憶装置であって、
前記筐体の縁部外側に前記カバー筐体とベース筐体との間に相互に押し付け力を付与する連結手段が設けられ、
前記連結手段は、前記カバー筐体の上面から該カバー筐体の側面を経て前記ベース筐体の側面にわたって貼付された粘着材層を有する膜状部材であり、
該膜状部材は、前記記録媒体を回転駆動する駆動手段の回転軸を挟んで前記アクチュエータの反対側に位置する筐体縁部の前記カバー筐体とベース筐体間に張力を付与して貼付されていることを特徴とする回転円盤型記憶装置。
【請求項２】
一面が開口された箱型のベース筐体と該ベース筐体の開口面を覆うカバー筐体とから形成された筐体内に、円盤型の記録媒体と、該記録媒体を回転駆動する駆動手段と、前記記録媒体の所望位置に記録・再生ヘッドを移動操作するアクチュエータとを収納してなる回転円盤型記憶装置であって、
前記筐体の縁部外側に前記カバー筐体とベース筐体との間に相互に押し付け力を付与する連結手段が設けられ、
前記カバー筐体は、周縁を前記ベース筐体側に折り曲げてなる側壁を有し、
前記連結手段は、前記記録媒体を回転駆動する駆動手段の回転軸を挟んで前記アクチュエータの反対側に位置する前記カバー筐体の側壁の一部を延ばして前記ベース筐体の下面側に折り曲げ、該折り曲げ部を前記ベース筐体の下面縁部に係止させてなることを特徴とする回転円盤型記憶装置。
【請求項３】
前記ベース筐体の周縁の少なくとも角部に肉厚部が形成され、前記カバー筐体は前記肉厚部に螺入されるネジ部材によって前記ベース筐体に固定されてなることを特徴とする請求項１又は２に記載の回転円盤型記憶装置。
【請求項４】
前記膜状部材の前記カバー筐体の上面側の端が、前記カバー筐体の中央部に張り出していることを特徴とする請求項１に記載の回転円盤型記憶装置。
【請求項５】
一面が開口された薄箱型のベース筐体と該ベース筐体の開口面を覆うカバー筐体とから形成された筐体内に、回転可能に保持された円盤型の記録媒体と、該記録媒体を回転駆動する駆動手段と、前記記録媒体に情報を記録すると共に記録された情報を読み出すヘッドと、該ヘッドを保持するとともに前記記録媒体の記録面とほぼ平行な面内で回動自由に支持されたアームと、該アームを回動させて前記ヘッドを前記記録媒体の所望位置に移動するアクチュエータとが収納されてなる回転円盤型記録装置であって、
前記ベース筐体は、周縁の適宜箇所に肉厚部が形成され、
前記カバー筐体は、周縁を前記ベース筐体側に折り曲げてなる側壁を有し、かつ前記肉厚部にそれぞれ螺入されたネジ部材によって前記ベース筐体にシール部材を介して固定されてなり、
前記筐体の縁部外面に、前記カバー筐体とベース筐体との間に相互に押し付け力を付与する連結手段が設けられ、
前記連結手段は、前記カバー筐体の上面から該カバー筐体の側面を経て前記ベース筐体の側面にわたって貼付された粘着材層を有する膜状部材であり、
該膜状部材は、前記記録媒体を回転駆動する駆動手段の回転軸を挟んで前記アクチュエータの反対側に位置する筐体縁部の前記カバー筐体とベース筐体間に張力を付与して貼付されていることを特徴とする回転円盤型記憶装置。
【請求項６】
前記駆動手段はスピンドルモータであり、前記記録媒体が前記スピンドルモータの軸端に片持ち状態で固定され、該記録媒体は前記ベース筐体の一方の側縁に寄せて配置され、前記アクチュエータが他方の側縁に寄せて配置されてなることを特徴とする請求項５に記載の回転円盤型記憶装置。
【発明の詳細な説明】
【０００１】
【発明の属する技術分野】
本発明は、磁気ディスク装置や光磁気ディスク装置などの回転円盤型記憶装置に関する。
【０００２】
【従来の技術】
磁気ディスク装置などの回転円盤型記憶装置は、１枚又は複数枚の円盤状の記録媒体をスピンドルモータなどの駆動手段により回転可能に設け、記録ヘッド及び読出ヘッド（以下、単にヘッドと総称する。）を保持するアームを記録媒体の記録面とほぼ平行な面内で回動可能に設け、このアームをボイスコイルモータ等の駆動手段により回動させてヘッドを記録媒体の所望位置に移動可能に構成し、これらを薄い箱型の筐体に収納して構成される。
【０００３】
このような回転円盤型記憶装置は、据え置き型のパソコン（パーソナルコンピュータ）からノートパソコン、ＡＶ機器の記録装置として用途が拡大され、これに伴い装置の小型化、軽量化、低騒音化、低コスト化の要望が強まっている。
【０００４】
従来、軽量化や低コスト化に対応して、箱型筐体のベース筐体をダイカスト法で形成し、カバー筐体をプレス加工で形成することが多くなっている。また、磁気ディスク径が小さい２．５型以下の小型磁気ディスク装置では、カバー筐体を薄型化するにあたって平板では十分な剛性が確保できないため、平板の側縁を折り曲げてプレス成形するのが一般的である。
【０００５】
一方、磁気ディスク装置においては、磁気ディスクの回転による振動や、アクチュエータのヘッド位置決めのシーク動作による振動によって、ベース筺体やカバー筐体が振動し、これによって騒音が発生することが知られている。特に、スピンドルモータの軸端に円盤状の記録媒体を固定した構造の場合、いわゆる記録媒体が片持ち状態に固定されることから、何らかの外力が記録媒体に加わるとスピンドルモータの軸が振れ回りを起こして振動が発生する。
【０００６】
これらの振動を低減するために、従来、スピンドルモータの高性能化、スピンドルモータ電流制御方法の改良、アクチュエータの制御電流の改良等が行なわれている。しかし、それらの振動をゼロにすることは困難である。
【０００７】
そこで、従来、特に騒音が問題となるカバー筐体の振動を抑制するため、カバー全体を制振鋼板で形成したり、特開平１１−２３２８６２２号公報に記載されているように、カバー筐体の外側に制振鋼板を貼り付けて、振動を吸収することにより騒音を低減することが提案されている。
【０００８】
【発明が解決しようとする課題】
しかしながら、アクチュエータのシーク動作時に発生するカバー筐体の振動を抑制するために、カバー筐体の全体を制振鋼板で形成すると、カバーの厚みが増すため軽量化に反する。また、低廉化にも反することになる。また、カバー筐体の外面に制振鋼板を貼り付ける方法は、期待するほどの振動吸収効果が得られず、しかもコスト増につながるという問題がある。
【０００９】
本発明は、回転円盤記録装置のカバー筐体の振動騒音を簡便な方法により解決することを課題とする。
【００１０】
【課題を解決するための手段】
本発明は、次に述べる手段により、上記課題を解決するものである。まず、本発明は、一面が開口された箱型のベース筐体と該ベース筐体の開口面を覆うカバー筐体とから形成された筐体内に、円盤型の記録媒体と、該記録媒体を回転駆動する駆動手段と、前記記録媒体の所望位置に記録・再生ヘッドを移動操作するアクチュエータとを収納してなる回転円盤型記憶装置を対象とする。また、筐体内における各部品の配置は、記録媒体とその駆動手段とを箱型のベース筐体内の長手方向の一端に寄せて配置し、他端側に記録・再生ヘッドを移動操作するアクチュエータを配置することが通常である。
【００１１】
このように構成される回転円盤型記録装置の振動について、特にアクチュエータによるシーク動作時の振動について実験を行った。アクチュエータによるシーク動作とは、円盤型の記録媒体をスピンドルモータ等の駆動手段により回転させた状態で、アクチュエータのボイスコイルモータ等の駆動手段により記録・再生ヘッドを所望の位置に移動させることをいう。このシーク動作の際に、カバー筐体やベース筐体が振動して騒音を発生することが問題となる。そこで、その振動を解析したところ、後述するように、記録媒体が配置された部分のカバー筐体がカバー面に直交する方向に振動し、この振動に伴ってカバー筐体の側壁が振動し、これらの振動によって騒音が発生することが判明した。
【００１２】
このような知見に鑑み、本発明は、筐体縁部の外側ないし外面に、カバー筐体とベース筐体との間に相互に押し付け力を付与する連結手段を設けたことを特徴とする。すなわち、カバー筐体の上面の振動によってカバー筐体の側壁が振動して騒音を発することから、カバー筐体とベース筐体との間に相互に押し付け力を付与する連結手段を設けることによって、カバー筐体の側壁の振動を減衰することができる。特に、連結手段を筐体縁部の外側ないし外面に設けることによって、カバー筐体の側壁の振動を効果的に減衰させることができる。その結果、カバー筐体の振動騒音を低減することができる。
【００１３】
この場合、ベース筐体の周縁の少なくとも角部に肉厚部が形成され、カバー筐体が肉厚部に螺入されるネジ部材によってベース筐体に固定される構造の回転円盤型記憶装置に最も効果がある。
【００１４】
また、連結手段としては、カバー筐体の上面からそのカバー筐体の側面を経てベース筐体の側面にわたって粘着材層を有する膜状部材を貼付することにより、簡便に実現できる。この場合、膜状部材は、記録媒体を回転駆動する駆動手段の回転軸を挟んでアクチュエータの反対側に位置する筐体縁部に貼付することができる。特に、カバー筐体とベース筐体間に張力を付与して膜状部材を貼付することが好ましい。また、膜状部材のカバー筐体の上面側の端を、カバー筐体の上面の中央側に張り出した位置まで貼付することが好ましい。
【００１５】
特に、膜状部材は、回転円盤型記憶装置の説明を記載する製品ラベルと一体に形成することができ、これによれば従来からカバー筐体の上面に貼付されている製品ラベルの形状を変更するだけで、本発明を実施することができるから、最も簡便にカバー筐体の振動を減衰することができる。
【００１６】
本発明の連結手段は、上記の膜状部材に限るものではなく、次のように構成することもできる。つまり、カバー筐体の周縁をベース筐体側に折り曲げてなる側壁の一部を延ばしてベース筐体の下面側に折り曲げ、その折り曲げ部をベース筐体の下面縁部に係止させて連結手段を実現できる。この折り曲げ部は、記録媒体を回転駆動する駆動手段の回転軸を挟んでアクチュエータの反対側に位置するカバー筐体の側壁に設けることが好ましい。また、この折り曲げ部によりカバー筐体とベース筐体との間に相互に押し付け力を作用させるには、カバー筐体の塑性変形力を利用してもよいが、折り曲げ部とベース筐体との間、あるいは対向する位置のカバー筐体とベース筐体との間に、弾力性を有するクッション材を挿入することが望ましい。
【００１７】
【発明の実施の形態】
以下、本発明を磁気ディスク装置に適用した一実施の形態について、図１〜図５を用いて説明する。図１は本発明に係る磁気ディスク装置に膜状部材を貼付した一実施の形態の外観図、図２は図１の一部を破断して拡大して示した説明図、図３は本発明の対象である磁気ディスク装置の全体構成をカバー筐体を外した状態で示す図、図４はベース筐体内の部品配置とカバー筐体とベース筐体を締結するネジの配置を説明する図である。図５はカバー筐体の振動モードを説明する図である。
【００１８】
磁気ディスク装置の筺体のサイズは規格化されており、例えば２．５型の場合は、図３に示すように構成されている。すなわち、記録媒体である１枚又は複数枚の磁気ディスク１が、スピンドルモータのスピンドル軸２に固定され、回転可能に設けられている。磁気ディスク１に記録された情報を読出し、あるいは磁気ディスク１に情報を記録する磁気ヘッドスライダ３は、アーム４の先端に取り付けられている。アーム４は磁気ディスク１の外側に位置させて配置されたピボット軸５に、磁気ディスク１の記録面とほぼ平行な面内で回動自由に軸支されている。アーム４は、サスペンション１２とボイスコイルモータ６等を含んで構成されるアクチュエータ７によって、ピボット軸５回りに回動され、これによって磁気ヘッドスライダ３を磁気ディスク１の所望位置に移動操作するようになっている。
【００１９】
これらの部品は、直方体の薄型箱状に形成され、１面が開口されたベース筐体８に収納されている。ベース筐体８内における各部品の配置は、スピンドル軸２に固定された磁気ディスク１は、ベース筐体８内の長手方向の一端に寄せて配置されている。そして、ベース筐体８内の長手方向の他端側に、アーム４のピボット軸５、ボイスコイルモータ６及びアクチュエータ７等が配置されている。
【００２０】
ベース筐体８の開口は、カバー筐体９によって気密に覆われるようになっている。カバー筐体９は、周縁をベース筐体８側に折り曲げてなる側壁９ａを有する薄型箱状に形成され、パッキンなどのシール部材を介してベース筐体８に複数のネジ１０によって固定されるようになっている。ベース筐体８とカバー筐体９とを固定するネジ１０の位置は、ベース筐体８にネジ穴を設置できる肉厚の厚い位置に必然的に決まってくる。したがって、図３及び図４に示すように、ベース筐体８の４隅と、ベース筐体８の長辺の中央あたり２箇所の合計６箇所に肉厚部が形成され、ネジ孔１１が穿設されている。ベース筐体８の長辺の２箇所の位置は、磁気ディスク１を避けて中央からずらして配置されている。また、図示例では、ピボット軸５にベース筐体８とカバー筐体９とをネジにより固定している。また、ベース筐体８の下面には、外部と接続される複数の端子１３を備えた制御基板が取り付けられている。なお、カバー筐体９の外表面には、種々の形状の凹みが形成されている。特に、凹部１４は、従来技術において説明した制振鋼鈑を貼り付けるために設けられたものであるが、本実施の形態では不要な凹みである。
【００２１】
ここで、カバー筐体９の振動について説明する。例えば、３．５型の磁気ディスク装置の場合は、径が大きい分だけ位置決め精度が厳しいので、スピンドルモータの両方の軸端をベース筺体とカバー筐体に軸支する両持ち構造をとる場合が多く、その場合は、カバー筐体とベース筺体をスピンドルモータの軸受に固定できる。しかし、図３の例のような２．５型以下の小径磁気ディスク装置においては、スペース確保等の課題により、スピンドル軸２の磁気ディスク１が固定された側の端部を軸支しない、片持ち構造を採用することが主流である。
【００２２】
したがって、図３のような構造において、スピンドルモータにより磁気ディスク１を回転しながら、ボイスコイルモータ６を駆動してアクチュエータ７によりシ−ク動作を行うと、磁気ディスク１が外力を受けてスピンドル軸回りに振れ回る振動が生じ、カバー筐体９やベース筐体８が振動する場合がある。この振動を解析したところ、図５に示すように、カバー筐体７において、磁気ディスク１の直上の部分が内外に振動するモード１０１や、それに伴いネジ１０間のカバー筐体９の側壁が振動するモード１０２、１０３、１０４が生じ、騒音発生の原因となることが判明した。
【００２３】
また、各振動モード１０１、１０２、１０３、１０４の振動は、ネジ１０が固定端となるため、ネジ１０から離れたところの振幅が大となる。つまり、図３の磁気ディスク装置の場合、磁気ディスク１に対向する部分のカバー筐体９の部分、及び磁気ディスク１の周りのネジ１０に挟まれたカバー筐体９の側壁部分において振動が大となる。この振幅が大きい磁気ディスク１周りのカバー振動を低減するために、図１に示すような粘着材層を有する膜状部材２０を、スピンドル軸２から見てアクチュエータ７の反対側の筐体縁部に貼付する。つまり、磁気ディスク１が片寄せて配置されたベース筐体８の短辺部に、カバー筐体９の上面からカバー筐体９の側面を経てベース筐体８の側面にわたして、粘着材層を有する膜状部材２０を貼付する。
【００２４】
ここで、膜状部材２０の貼付方法について、図１、図２を参照して説明する。示す。図２は、膜状部材２０の貼付位置を概略図にして示したものである。図示のように、カバー筐体９は、カバー筐体９の側壁部をベース筐体８の側壁の上端部に嵌め込んで被冠されている。また、カバー筐体９とベース筐体８の側壁上端面との間に、パッキン１５が設けられており、ネジ１０を締めることによってカバー筐体９とベース筐体８間の接合部が気密にシールされるようになっている。膜状部材２０は、図１（Ａ），（Ｂ）に示すように、筐体縁部の短辺の両端の角部に設けられた２つのネジ１０によって挟まれる部位に貼付されている。膜状部材２０の貼付範囲は、図２に示すように、カバー筐体９の上面のネジ１０よりも内側で、磁気ディスク１の縁よりも内側の位置から、カバー筐体９の側壁９ａの外面を経てベース筐体８の側壁の外面に至る領域２１に一体で貼ることが好ましい。
【００２５】
膜状部材２０は、特に材質は限定されないが、振動を減衰させるのに適した材質を用いることが望ましい。例えば、粘着材層を有する紙、プラスチック、ゴム、あるいはその混合材料など、一般に用いられるシート材でよい。また、膜状部材２０を貼り付ける際に、膜状部材２０を引き伸ばしながら貼ることが好ましい。これにより、カバー筐体９とベース筐体８との間に膜状部材２０の張力が作用するから、振動低減効果を一層高めることができる。また、周囲温度の変化等により膜状部材２０が収縮しても、確実に張力が作用する状態にするため、常温で組み立てる場合は強めの張力をかけて貼り付けるか、あるいは膜状部材２０を暖めた状態で張力をかけて貼り付けることが好ましい。
【００２６】
上述したように、図１の実施形態によれば、スピンドル軸から見てアクチュエータ７の反対側の筐体縁部に膜状部材２０を貼付するだけの簡便な方法により、カバー筐体９の振動を減衰させて、騒音を低減できるという効果がある。
図６、図７に本発明の他の実施形態を示す。図６は、カバー筐体９の上面に貼付されている製品ラベル（又は、識別ラベル）２２をアクチュエータ７の反対側の筐体縁部２３に延長し、ベース筐体８の側壁面にまでわたって貼付することにより、膜状部材２０を兼用したものである。この場合も、振動低減効果を高めるために、製品ラベル２２を貼り付ける際、ラベル兼用膜状部材に張力をかけながら貼付すると有効である。
図７の実施形態は、図６と同様に、装置の識別ラベルと兼用した膜状部材を貼付するものである。ここで、カバー筐体９からベース筐体８に至る筐体縁部に貼付する領域は、図６の領域に加えて、磁気ディスク１が配置された領域の筐体の長辺縁部２４，２５に延長して、識別ラベル２６を貼付したものである。この長辺縁部２４、２５は、磁気ディスク１が配置されている側のネジ１０の間の辺部である。この場合も、識別ラベル２６の貼付に際し張力をかけて貼り付ける。
図６、図７の実施形態の場合は、現状の製品又は識別ラベルに用いられている材質、プラスチック、紙等を用いる。例えば、装置仕様等を記載するため現状の製品で用いられているラベルは、カバーの１／３〜１／２の面積を占めている。したがって、図６、７の実施形態の場合、ラベルはカバー筐体の磁気ディスク１の直上の領域を覆うこととなる。この領域は、カバー振動の振幅が大きい領域と一致しているので、カバー振動の低減効果も一層大きくなる。
【００２７】
図８に、本発明の他の実施形態に係るカバー筐体を示す。図示のように、本実施形態のカバー筐体９は、前述の実施形態と同様に、カバー筐体９の周縁をベース筐体８側に折り曲げてなる側部９ａを有する。そして、本発明に係る連結手段は、磁気ディスク１を回転駆動するスピンドル軸２を挟んで、アクチュエータ７の反対側に位置するカバー筐体９の短辺の側部を延ばして、ベース筐体８の下面側に折り曲げて形成した折り曲げ部２５を設けて構成したものである。この折り曲げ部２５は、ベース筐体９の下面縁部に係止させるために設けられている。この折り曲げ部２５は、カバー筐体のプレス加工に折り曲げ工程を追加して成形する。このように形成されたカバー筐体９を組立てる場合、図９（Ａ）から（Ｂ）に示すように、折り曲げ部２５を、ベース筐体８の下面角部に引っ掛けてから、カバー筐体９の全体をベース筐体８に被冠させる。このとき、カバー筐体９とベース筐体８との間に、張力を加えた状態で連結させるため、ベース筐体８の側壁上端に対向するカバー筐体９の内面に、クッション材２６を設けておくことが好ましい。これにより、ネジ１０を締めることにより、カバー筐体９とベース筐体８との間に互いに押しつけ合う力を付与することができる。また、この折り曲げ部２５の高さ方向の内法寸法を、ベース筐体８の側壁の高さ寸法よりも公差程度（例えば、５０〜１００μm）程度の小さくすることが好ましい。
【００２８】
【発明の効果】
以上説明したように、本発明によれば、回転円盤記録装置のカバー筐体の振動騒音を簡便な方法により減衰することができる。
【図面の簡単な説明】
【図１】図１は、本発明に係る磁気ディスク装置に膜状部材を貼付した一実施の形態の外観図である。
【図２】図２は、図１の一部を破断して拡大して示した説明図である。
【図３】図３は、本発明の対象である磁気ディスク装置の全体構成をカバー筐体を外した状態で示した外観図である。
【図４】図４は、ベース筐体内の部品配置とカバー筐体とベース筐体を締結するネジの配置を説明する図である。
【図５】図５は、カバー筐体の振動モードを説明する図である。
【図６】図６は、本発明に係る磁気ディスク装置に製品ラベル兼用の膜状部材を貼付した一実施の形態の外観図である。
【図７】図７は、本発明に係る磁気ディスク装置に製品ラベル兼用の膜状部材を貼付した他の一実施の形態の外観図である。
【図８】図８は、本発明に係る磁気ディスク装置の振動を減衰させる連結部材の他の一実施の形態の外観図である。
【図９】図８の実施形態の一部を破断にして拡大して示した説明図である。
【符号の説明】
１  磁気ディスク
２  スピンドル軸
３  磁気ヘッドスライダ
４  アーム
５  ピボット軸
６  ボイスコイルモータ
７  アクチュエータ
８  ベース筐体
９  ラバー筐体
１０  ネジ
１２  サスペンション
１３  端子
１４  凹部
２０  膜状部材
【図１】
0004055045.tif 000002
【図２】
0004055045.tif 000003
【図３】
0004055045.tif 000004
【図４】
0004055045.tif 000005
【図５】
0004055045.tif 000006
【図６】
0004055045.tif 000007
【図７】
0004055045.tif 000008
【図８】
0004055045.tif 000009
【図９】
0004055045.tif 000010